(57)【要約】【課題】端末のユーザが、自身が要求する情報に関して古い情報や不正確な情報を取得しないようにする。【解決手段】携帯端末１０は、ユーザ情報１２のうちユーザ１１が情報を要求する分野（カテゴリ）として観光情報を登録し、キャリア２０は、携帯端末１０の位置情報１４及び携帯端末１０がＷｅｂサーバの機能を用いて公開するユーザ情報１２を定期的に検出してデータベース２１を更新し、情報提供者３０は、検索する位置情報１４として自身のサービス提供エリアである観光エリアをキーワードとすると共に、検索するユーザ情報１２として観光情報をキーワードとしてデータベース２１を検索して絞り込んだ、提供情報３１を通知する対象となるユーザ１１に関してのメーリングリスト２２の発行をキャリア２０に依頼し、情報提供者３０は、メーリングリスト２２に基づいて、対象となるユーザ１１にメールで提供情報３１を送信する。【選択図】図１
2007249916.tif 000002
【特許請求の範囲】
【請求項１】
ネットワークを介して情報提供サーバがユーザの端末に対して所定の情報を提供する情報提供システムにおいて、
前記情報提供サーバが、前記ネットワークを介して所定のタイミングで送信される前記端末のユーザに関するユーザ情報を取得し、前記ユーザ情報が更新される毎に、前記ユーザ情報の内容に適合する前記所定の情報を選択し当該する前記端末に対して提供することを特徴とする情報提供システム。
【請求項２】
前記端末のユーザに関する前記ユーザ情報を前記ネットワークを介して蓄積し、所定のタイミングで更新するデータベースを備え、
前記情報提供サーバは、前記データベースに蓄積された前記ユーザ情報が更新される度に、前記ユーザ情報の内容に適合する前記所定の情報を該当する前記端末に提供することを特徴とする請求項１に記載の情報提供システム。
【請求項３】
前記ユーザ情報は、前記端末の位置を示す位置情報を含むことを特徴とすることを特徴とする請求項１又は請求項２に記載の情報提供システム。
【請求項４】
前記ユーザ情報は、前記ユーザが要求する情報を示す要求情報を含むことを特徴とする請求項１から請求項３のいずれか１項に記載の情報提供システム。
【請求項５】
前記ユーザ情報を取得して前記データベースに蓄積する情報取得サーバを備えることを特徴とする請求項１から請求項４のいずれか１項に記載の情報提供システム。
【請求項６】
前記端末は、前記ネットワークを介して前記ユーザ情報を公開することを特徴とする請求項１から請求項５のいずれか１項に記載の情報提供システム。
【請求項７】
前記情報取得サーバは、所定のタイミングで前記ユーザ情報を取得することを特徴とする請求項５又は請求項６に記載の情報提供システム。
【請求項８】
前記情報取得サーバは、所定のタイミングで前記位置情報を取得することを特徴とする請求項７に記載の情報提供システム。
【請求項９】
前記情報取得サーバは、同報無線制御チャネルを用いて所定のタイミングで前記位置情報を取得することを特徴とする請求項８に記載の情報提供システム。
【請求項１０】
前記情報取得サーバは、所定のタイミングで前記要求情報を取得することを特徴とする請求項７に記載の情報提供システム。
【請求項１１】
前記端末は、ユーザ情報が入力されると入力された前記ユーザ情報を前記情報取得サーバに通知することを特徴とする請求項５から請求項１０のいずれか１項に記載の情報提供システム。
【請求項１２】
前記端末は、入力されたユーザ情報を登録し、登録されたユーザ情報と異なるユーザ情報が入力されると前記情報取得サーバに通知することを特徴とする請求項５から請求項１０のいずれか１項に記載の情報提供システム。
【請求項１３】
前記情報取得サーバは、取得した前記端末のユーザのユーザ情報が前記データベースに蓄積された前記ユーザ情報と異なる場合、前記データベースに蓄積された前記ユーザ情報を更新することを特徴とする請求項５から請求項１２のいずれか１項に記載の情報提供システム。
【請求項１４】
前記情報提供サーバは、前記データベースに蓄積されたユーザ情報に基づいて、前記端末宛てのメーリングリストの発行を前記情報取得サーバに要求し、発行された前記メーリングリストに基づいて前記端末に情報を提供することを特徴とする請求項５から請求項１３いずれか１項に記載の情報提供システム。
【請求項１５】
ネットワークを介して所定の情報の提供を受けるユーザの端末において、
前記ユーザに関するユーザ情報を入力し、
入力された前記ユーザ情報を、前記ユーザ情報に基づいて当該端末に情報を提供する情報提供サーバが前記ユーザ情報を取得するデータベースに対して蓄積し所定のタイミングで更新させることを特徴とする端末。
【請求項１６】
入力された前記ユーザ情報を、前記ネットワークを介して公開することを特徴とする請求項１５に記載の端末。
【請求項１７】
前記ユーザ情報は、前記ユーザが要求する情報を示す要求情報を含むことを特徴とすることを特徴とする請求項１５又は請求項１６に記載の端末。
【請求項１８】
前記ユーザ情報は、前記端末の位置を示す位置情報を含むことを特徴とする請求項１５から請求項１７のいずれか１項に記載の端末。
【請求項１９】
入力された前記ユーザ情報が前記データベースに蓄積された前記ユーザ情報と異なる場合に前記データベースに対して更新させることを特徴とする請求項１５から請求項１８のいずれか１項に記載の端末。
【請求項２０】
前記入力を実現する専用のアプリケーションを有することを特徴とする請求項１５から請求項１９のいずれか１項に記載の端末。
【請求項２１】
ネットワークを介してユーザの端末から前記ユーザに関するユーザ情報を取得する情報取得サーバにおいて、
前記ユーザ情報を所定のタイミングで取得し、取得した前記ユーザ情報を蓄積するデータベースを備えることを特徴とする情報取得サーバ。
【請求項２２】
前記端末から取得した前記ユーザ情報が、前記データベースに蓄積された前記ユーザ情報と異なる場合に、前記データベースに蓄積された前記ユーザ情報を更新することを特徴とする請求項２１に記載の情報取得サーバ。
【請求項２３】
前記ユーザ情報を前記端末から通知された場合に、前記データベースに蓄積された前記ユーザ情報を更新することを特徴とする請求項２１に記載の情報取得サーバ。
【請求項２４】
前記ユーザ情報として、前記端末の位置を示す位置情報を取得することを特徴とする請求項２１から請求項２３のいずれか１項に記載の情報取得サーバ。
【請求項２５】
前記位置情報を同報無線制御チャネルを用いて取得することを特徴とする請求項２４に記載の情報取得サーバ。
【請求項２６】
前記ユーザ情報として、前記ユーザが要求する情報を示す要求情報を取得することを特徴とする請求項２１から請求項２５のいずれか１項に記載の情報取得サーバ。
【請求項２７】
ネットワークを介して端末に所定の情報を提供する情報提供サーバにおいて、
前記ネットワークを介して所定のタイミングで送信される前記端末のユーザに関するユーザ情報を取得し、前記ユーザ情報が更新される毎に、前記ユーザ情報の内容に適合する前記所定の情報を選択し当該する前記端末に対して提供することを特徴とする情報提供サーバ。
【請求項２８】
前記ユーザ情報を前記ネットワークを介して蓄積し、所定のタイミングで更新するデータベースから蓄積された前記ユーザ情報に基づいて所定のユーザを検索し、検索した所定のユーザのユーザ情報に適合する情報を前記端末に提供することを特徴とする請求項２７に記載の情報提供サーバ。
【請求項２９】
前記データベースに蓄積されたユーザ情報に基づいて生成された前記端末宛てのメーリングリストに基づいて、前記ユーザ情報に適合する情報を前記端末に提供することを特徴とする請求項２７又は請求項２８に記載の情報提供サーバ。
【請求項３０】
前記ユーザ情報として、前記端末の位置を示す位置情報に適合する情報を前記端末に提供することを特徴とする請求項２７から請求項２９のいずれか１項に記載の情報提供サーバ。
【請求項３１】
ネットワークを介して情報提供サーバがユーザの端末に対して所定の情報を提供する情報提供方法であって、
前記情報提供サーバが、前記ネットワークを介して所定のタイミングで送信される前記端末のユーザに関するユーザ情報を取得し、前記ユーザ情報が更新される毎に、前記ユーザ情報の内容に適合する前記所定の情報を選択し当該する前記端末に対して提供する情報提供ステップを有することを特徴とする情報提供方法。
【請求項３２】
前記端末のユーザに関する前記ユーザ情報を前記ネットワークを介して蓄積して所定のタイミングで更新するユーザ情報取得ステップを有し、
前記情報提供ステップにおいて、前記ユーザ情報取得ステップで蓄積した前記ユーザ情報が更新される度に、前記ユーザ情報の内容に適合する前記所定の情報を該当する前記端末に提供することを特徴とする請求項３１に記載の情報提供方法。
【請求項３３】
前記ユーザ情報蓄積ステップにおいて取得する前記ユーザ情報として前記端末の位置を示す位置情報を含むことを特徴とすることを特徴とする請求項３１又は請求項３２に記載の情報提供方法。
【請求項３４】
前記ユーザ情報蓄積ステップにおいて、同報無線制御チャネルを用いて所定のタイミングで前記位置情報を取得することを特徴とする請求項３３に記載の情報提供方法。
【請求項３５】
前記ユーザ情報取得ステップにおいて蓄積する前記ユーザ情報として前記ユーザが要求する情報を示す要求情報を含むことを特徴とする請求項３１から請求項３４のいずれか１項に記載の情報提供方法。
【請求項３６】
前記ネットワークを介して前記端末のユーザのユーザ情報を公開する公開ステップを有することを特徴とする請求項３１から請求項３５のいずれか１項に記載の情報提供方法。
【請求項３７】
前記ユーザ情報取得ステップにおいて、前記端末にユーザ情報が入力されると、入力された前記ユーザ情報を取得することを特徴とする請求項３２から請求項３６のいずれか１項に記載の情報提供方法。
【請求項３８】
前記端末に入力されたユーザ情報を登録する登録ステップと、
前記登録ステップで登録されたユーザ情報と異なるユーザ情報が前記端末に入力されると前記ユーザ情報取得ステップに通知する通知ステップとを有し、
前記ユーザ情報取得ステップにおいて、前記通知ステップで通知されると前記端末に入力されたユーザ情報を取得することを特徴とする請求項３２から請求項３６のいずれか１項に記載の情報提供方法。
【請求項３９】
前記ユーザ情報取得ステップで取得したユーザ情報が蓄積されている前記ユーザ情報と異なる場合、前記ユーザ情報取得ステップにおいて、蓄積されている前記ユーザ情報を更新することを特徴とする請求項３２から請求項３８のいずれか１項に記載の情報提供方法。
【請求項４０】
前記情報提供ステップにおいて、前記ユーザ情報取得ステップで蓄積されたユーザ情報に基づいて生成された前記端末宛てのメーリングリストに基づいて、前記端末に情報を提供することを特徴とする請求項３２から請求項３９のいずれか１項に記載の情報提供方法。
【請求項４１】
ネットワークを介して所定の情報の提供を受ける端末上で実行されるプログラムであって、
前記ユーザに関するユーザ情報を入力する入力機能と、
前記入力機能で入力されたユーザ情報を、前記ユーザ情報に基づいて前記端末に情報を提供する情報提供サーバが前記ユーザ情報を蓄積するデータベースに対して所定のタイミングで通知し更新させる通知機能とを前記端末に実行させることを特徴とするプログラム。
【請求項４２】
前記入力機能で入力された前記ユーザ情報を、前記ネットワークを介して公開する公開機能を前記端末に実行させることを特徴とする請求項４１に記載のプログラム。
【請求項４３】
前記通知機能で前記データベースに通知する前記ユーザ情報が、前記ユーザが要求する情報を示す要求情報を含むことを特徴とする請求項４１又は請求項４２に記載のプログラム。
【請求項４４】
前記通知機能で前記データベースに通知する前記ユーザ情報が、前記端末の位置を示す位置情報を含むことを特徴とする請求項４１から請求項４３のいずれか１項に記載のプログラム。
【請求項４５】
前記通知機能は、入力された前記ユーザ情報が前記データベースに蓄積された前記ユーザ情報と異なる場合に前記データベースに対して更新させることを特徴とする請求項４１から請求項４４のいずれか１項に記載のプログラム。
【請求項４６】
前記入力機能は、前記端末が有する専用のアプリケーションによって実現されることを特徴とする請求項４１から請求項４５のいずれか１項に記載のプログラム。
【請求項４７】
ネットワークを介してユーザの端末から前記ユーザに関するユーザ情報を取得する情報取得サーバ上で実行されるプログラムであって、
前記ユーザ情報を前記端末から所定のタイミングで取得する取得機能と、
前記取得機能で取得した前記ユーザ情報を、前記端末に情報を提供する情報提供サーバにネットワークを介して接続可能とする接続機能とを前記情報取得サーバに実行させることを特徴とするプログラム。
【請求項４８】
前記取得機能で取得した前記ユーザ情報をデータベースに蓄積する蓄積機能を前記情報取得サーバに実行させ、
前記接続機能において、前記蓄積機能で蓄積した前記ユーザ情報を前記情報提供サーバに接続可能とすることを特徴とする請求項４７に記載のプログラム。
【請求項４９】
前記取得機能で前記端末から取得した前記ユーザ情報が前記蓄積機能で前記データベースに蓄積された前記ユーザ情報と異なる場合に、前記蓄積機能において、前記データベースに蓄積された前記ユーザ情報を更新することを特徴とする請求項４８に記載のプログラム。
【請求項５０】
前記取得機能において、前記ユーザ情報を前記端末から通知されることによって取得した場合に、前記蓄積機能において、前記データベースに蓄積された前記ユーザ情報を更新することを特徴とする請求項４８又は請求項４９に記載のプログラム。
【請求項５１】
前記取得機能において、前記ユーザ情報として前記端末の位置を示す位置情報を取得することを特徴とする請求項４７から請求項５０のいずれか１項に記載のプログラム。
【請求項５２】
前記取得機能において、前記位置情報を同報無線制御チャネルを用いて取得することを特徴とする請求項５１に記載のプログラム。
【請求項５３】
前記取得機能において、前記ユーザ情報として、前記ユーザが要求する情報を示す要求情報を取得することを特徴とする請求項４７から請求項５２のいずれか１項に記載のプログラム。
【請求項５４】
ネットワークを介して端末に所定の情報を提供する情報提供サーバ上で実行されるプログラムであって、
前記ネットワークを介して所定のタイミングで送信される前記端末のユーザに関するユーザ情報を取得し、前記ユーザ情報が更新される毎に、前記ユーザ情報の内容に適合する前記所定の情報を選択し当該する前記端末に対して提供する提供機能を前記情報提供サーバに実行させることを特徴とするプログラム。
【請求項５５】
前記ユーザ情報を前記ネットワークを介して蓄積し、所定のタイミングで更新するデータベースから蓄積された前記ユーザ情報に基づいて所定のユーザを検索する検索機能を前記情報提供サーバに実行させ、
前記提供機能において、前記検索機能で検索した所定のユーザのユーザ情報に適合する情報を前記端末に提供することを特徴とする請求項５４に記載のプログラム。
【請求項５６】
前記提供機能において、前記データベースに蓄積されたユーザ情報に基づいて生成された前記端末宛てのメーリングリストに基づいて、前記ユーザ情報に適合する情報を前記端末に提供することを特徴とする請求項５４又は請求項５５に記載のプログラム。
【請求項５７】
前記提供機能において、前記ユーザ情報として前記端末の位置を示す位置情報に適合する情報を前記端末に提供することを特徴とする請求項５４から請求項５６のいずれか１項に記載のプログラム。
【発明の詳細な説明】
【技術分野】
【０００１】
本発明は、ネットワークを介して端末に情報を提供する情報提供システム、端末、情報取得及び提供サーバ、情報提供方法及びプログラムに関するものである。
【背景技術】
【０００２】
従来、端末が情報を取得する場合は、特開２００５−２２８３５４号公報（特許文献１）に一例が示されているように、端末のユーザが必要な情報をサーバから取得するという取得方式によるプル（ＰＵＬＬ）型サービスが主流である。プル型サービスによれば、端末のユーザは、キーワードを指定することによって、必要とする情報をサーバから取得することができる。
【特許文献１】特開２００５−２２８３５４号公報
【発明の開示】
【発明が解決しようとする課題】
【０００３】
しかし、プル型サービスの課題として、例えば、ユーザが指定するキーワードで情報を収集する場合、キーワードの指定の仕方によっては、必要とする情報を見つけるまでに、時間がかかるという問題点がある。
また、この従来の取得方式では、サーバが情報を配信しているため、ユーザに配信される情報の中には未更新情報を多く含む場合があることから、ユーザは、古い情報や不正確な情報を取得する場合があるという問題点がある。
【０００４】
（目的）
本発明は、上記課題を解決し、端末のユーザが、自身が要求する情報に関して古い情報や不正確な情報を取得しない情報提供システム、端末、情報取得サーバ、情報提供サーバ、情報提供方法及びプログラムを提供する。
【課題を解決するための手段】
【０００５】
本発明の情報提供システムは、ネットワークを介して情報提供サーバがユーザの端末に対して所定の情報を提供する情報提供システムにおいて、前記情報提供サーバが、前記ネットワークを介して所定のタイミングで送信される前記端末のユーザに関するユーザ情報を取得し、前記ユーザ情報が更新される毎に、前記ユーザ情報の内容に適合する前記所定の情報を選択し当該する前記端末に対して提供することを特徴とする。
【発明の効果】
【０００６】
本発明においては、以下に記載するような効果を奏する。
【０００７】
第１の効果は、端末のユーザに関するユーザ情報がネットワークを介して所定のタイミングで取得されているので、ユーザが、検索する手間を省き、自身の要求により適合する情報を取得できることである。
【０００８】
第２の効果は、ユーザが、検索する手間を省き、自身の要求により適合する情報を取得できるので、取得した情報に基づいて更に詳細な情報を得ようとネットワークを介してアクセスすることによる通信費の増加をキャリアが期待できることである。
【０００９】
第３の効果は、情報提供者は、ユーザの要求により適合する情報を提供できるので、顧客満足度が向上し、効果的な宣伝及び情報提供が可能となることである。
【発明を実施するための最良の形態】
【００１０】
図１〜図９を参照して、本発明の実施の形態によるプッシュ型サービス提供システムを説明する。
【００１１】
（本実施の形態の構成）
図１は、本発明の実施の形態によるプッシュ型サービス提供システムの構成例を説明する図であり、図１を参照すると、本発明によるプッシュ型サービス提供システムは、サービスの提供を受けるユーザの携帯端末１０と、情報提供サーバであるキャリア２０と、情報提供者３０とがネットワーク４０を介して接続される。
【００１２】
携帯端末１０は、ネットワーク通信が可能な一般的な携帯電話が有する機能と、携帯端末１０の存在位置を示す位置情報１４や、携帯端末１０のユーザ１１によって携帯端末１０内に登録されたユーザ情報１２等をキャリア２０に対して公開する機能とを有する。
【００１３】
また、携帯端末１０は、Ｗｅｂサーバの機能を有しており、キャリア２０がＨＴＴＰ（HyperText  Transfer  Protocol）の技術を用いネットワーク４０を介してユーザ情報１２等にアクセスすることを可能とする。
【００１４】
ここでユーザ情報１２は、携帯端末１０宛てメールアドレス、ユーザ１１自身に固有の情報、ユーザ１１が情報を要求する分野に関する情報等からなる要求情報１３や、携帯端末１０の位置を示す位置情報１４や、これらユーザ情報１２の公開の可否を示す情報等を含む。
【００１５】
図２は、携帯端末１０においてユーザ情報１２を入力するユーザ情報入力画面の一例を説明する図で、携帯端末１０におけるユーザ情報入力時の液晶画面をイメージしており、ユーザ情報１２の入力に関して詳細な構成が示されている。
【００１６】
なお、携帯端末１０は、ユーザ情報１２の入力のための専用のアプリケーション１５を有し、アプリケーション１５が実行されると、携帯端末１０の液晶画面に上記ユーザ情報入力画面が表示される。
【００１７】
図２を参照すると、ユーザ情報１２として、要求情報１３の公開可否、ユーザ１１が情報を要求する分野（カテゴリ）、当該分野におけるユーザ１１の嗜好を示すキーワード、公開レベルの設定等を入力する。
【００１８】
このうち、公開レベルの設定として、携帯端末１０の位置情報１４の公開可否、位置情報１４や要求情報１３の公開先（公開対象レベル）の設定、携帯端末１０が１日に受信するメールの最大件数（メール受信最大件数）等の設定をすることができる。
【００１９】
なお、携帯端末１０は、入力されたユーザ情報１２を登録し、一定間隔毎にユーザ情報１２をキャリア２０に通知してもよいし、ユーザ情報１２の入力によってユーザ情報１２が変化した場合に、ユーザ情報１２が変化したことや、変化した内容をキャリア２０に通知してもよいし、また、ＧＰＳ（Global  Positioning  System）機能を有する場合において携帯端末１０の位置の移動によって位置情報１４が変化した場合に、位置情報１４が変化したことや、変化した内容をキャリア２０に通知してもよいし、また、あらかじめ定めた任意のタイミングに基づいてユーザ情報１２をキャリア２０に通知してもよい。
【００２０】
キャリア２０は、データベース２１を有すると共に、サーバの機能と、携帯端末１０から位置情報１４やユーザ情報１２等を所定のタイミングで収集する機能と、収集した位置情報１４やユーザ情報１２等をデータベース２１に蓄積し、データベース２１の構築及び管理を行う機能と、情報提供者３０からの発行要求に基づいてメーリングリスト２２を発行する機能とを有する。
【００２１】
ここで、キャリア２０は、携帯端末１０から位置情報１４や要求情報１３等を、一定間隔毎に収集してもよいし、また、あらかじめ定めた任意のタイミングに基づいて収集してもよい。
【００２２】
また、キャリア２０は、位置情報１４について、携帯端末１０から通知されることによって収集してもよいし、同報無線制御チャネル等の技術を用いてキャリア２０側から収集してもよい。
【００２３】
キャリア２０は、同報無線制御チャネル等の技術を用いることによって、携帯端末１０の大まかな位置情報１４を収集でき、また、大まかな位置情報１４の変化を検出できる。
【００２４】
なお、キャリア２０は、ユーザ１１が望まない提供情報３１が情報提供者３０から大量に通知されることや、提供情報３１が情報提供者３０から違法に通知されることを、メーリングリスト２２の発行を有料にすること等によって抑制することが好ましい。
【００２５】
メーリングリスト２２は、複数のユーザ１１に対して効率的に情報を配信するためにキャリア２０によって発行されるが、この場合、ユーザ１１のメールアドレスが不正に使用されることを防止するため、ユーザ１１のメールアドレスは情報提供者３０には隠蔽されて発行されることが好ましい。
【００２６】
また、このメーリングリスト２２は、ユーザ１１のメールアドレスが不正に使用されることを防止するため、情報提供者３０が提供情報３１を通知する対象となるユーザ１１に対し１回の使用のみ有効であり、使用後は無効となることが好ましい。
【００２７】
また、キャリア２０は、Ｗｅｂサーバの機能を有しており、データベース２１に蓄積された位置情報１４や要求情報１３等を、情報提供者３０が検索の対象として利用できるようにＷＥＢ上に公開する。
【００２８】
図３は、キャリア２０の情報収集方法に関しての構成を説明する図である。
【００２９】
図３を参照すると、キャリア２０は、同報無線制御チャネルの技術を用いて携帯端末１０の位置情報１４の変化を検出する機能と、ＨＴＴＰの技術を用いることによって携帯端末１０内のユーザ情報１２の変化を検出する機能とを有する。
【００３０】
また、キャリア２０は、携帯端末１０から通知されることによって、ユーザ情報１２の変化を検出してもよい。
【００３１】
また、キャリア２０は、位置情報１４又は要求情報１３等を含むユーザ情報１２の変化を検出した場合、データベース２１を更新する機能を有する。
【００３２】
図４は、データベース２１に関してのレコード構成を説明する図である。
【００３３】
図４を参照すると、データベース２１は、ユーザを識別するＩＤ（IDentifier）番号、位置情報１４や要求情報１３１３の公開可否、位置情報１４や要求情報１３の公開対象レベル、携帯端末１０宛てメールアドレス、ユーザ１１が情報を要求する分野（カテゴリ）、当該分野におけるユーザ１１の嗜好を示すキーワード等を示す情報によって構成される。
【００３４】
ここで、キャリア２０のハードウェア構成の説明をする。
【００３５】
図５は、本発明によるプッシュ型サービス提供システムのキャリア２０のハードウェア構成を示すブロック図である。
【００３６】
図５を参照すると、本発明によるキャリア２０は、一般的なコンピュータ処理装置と同様のハードウェア構成によって実現することができ、ＣＰＵ（Ｃｅｎｔｒａｌ  Ｐｒｏｃｅｓｓｉｎｇ  Ｕｎｉｔ）５０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部５０２、ネットワーク４０を介してデータの送受信を行う通信制御部５０３、液晶ディスプレイ、プリンタやスピーカ等の提示部５０４、キーボードやマウス等の入力部５０５、周辺機器と接続してデータの送受信を行うインタフェース部５０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部５０７（データベース２１）、本情報処理装置の上記各構成要素を相互に接続するシステムバス５０８等を備えている。
【００３７】
本発明によるキャリア２０は、その動作を、キャリア２０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ５０１で実行することにより、ソフトウェア的に実現することができる。
【００３８】
すなわち、ＣＰＵ５０１は、補助記憶部５０７に格納されているプログラムを、主記憶部５０２にロードして実行し、キャリア２０の動作を制御することにより、上述した各機能をソフトウェア的に実現する。
【００３９】
なお、前述した携帯端末１０及び後述する情報提供者３０もキャリア２０と同様のハードウェア構成を有するため説明を省略する。
【００４０】
情報提供者３０は、ネットワーク通信が可能な一般的な情報処理端末（ＰＣ端末等）が有する機能と、自身が提供する提供情報３１を格納する機能と、提供情報３１の通知の対象となるユーザ１１を、データベース２１に蓄積された位置情報１１や要求情報１３等に基づいて検索する機能を有する。
【００４１】
また、情報提供者３０は、対象となるユーザ１１を検出した場合、キャリア２０に対してメーリングリスト２２の発行を要求し、そのメーリングリスト２２を用いて、対象となるユーザ１１に提供情報３１を通知する機能を有する。
【００４２】
すなわち、情報提供者３０は、例えば、一般小売店や公共機関等である場合が考えられるが、データベース２１に蓄積された位置情報１１や要求情報１３等に基づいて、ユーザ１１の必要としている情報を当該ユーザに対して提供することができる。
【００４３】
図６は、情報提供者３０による提供情報３１の通知の対象となるユーザ１１の検索方法を説明する図である。
【００４４】
情報提供者３０は、あらかじめキャリア２０と契約を行い、キャリア２０のデータベース２１にアクセスすることができる。
【００４５】
情報提供者３０は、ブラウザソフトを使い、任意のキーワードによって、提供情報３１の通知の対象となるユーザ１１の検索をデータベース２１に対して行う。
【００４６】
情報提供者３０は、提供情報３１の通知の対象となるユーザ１１を検出した場合は、キャリア２０に対して、メーリングリスト２２の発行を要求する。
【００４７】
図７は、メーリングリスト発行方法を説明する図であり、図７を参照すると、情報提供者３０がキャリア２０に対してメーリングリスト２２の発行要求すると、キャリア２０がメーリングリスト２２を動的に発行する。
【００４８】
情報提供者３０は、発行されたメーリングリスト２２を使って対象となるユーザ１１に対して提供情報３１を発信する。
【００４９】
（本実施の形態の動作）
次に、本発明によるプッシュ型サービス提供システムの動作例を図８に示すシーケンスチャート及び図９に示すフローチャートを用いて説明する。
【００５０】
以下、情報提供者３０が観光協会であり、携帯端末１０のユーザ１１が観光旅行中に観光旅行先の観光情報を入手したい場合についての動作例について説明する。
【００５１】
（１）まず、携帯端末１０は、要求情報１３のうちユーザ１１が情報を要求する分野（カテゴリ）として観光情報を登録する（ステップＳ１０１）。また、携帯端末１０は、位置情報１４を公開することにより、提供情報３１として携帯端末１０の位置付近の観光情報を得ることが可能になる。
【００５２】
次いで、キャリア２０は、携帯端末１０の位置情報１４及び要求情報１３を定期的に検出する（ステップＳ１０２）。
【００５３】
すなわち、キャリア２０は、データベース２１に蓄積されたＩＤ番号に基づいて、同報無線制御チャネルの技術を用いて位置情報１４を定期的に検出し（２）（３）、携帯端末１０がＷｅｂサーバの機能を用いて公開する位置情報１４を含むユーザ情報１２をＨＴＴＰの技術を用いて定期的に検出する（４）（５）。
【００５４】
（６）キャリア２０は、ステップＳ１０２において検出した位置情報１４や要求情報１３がデータベース２１に蓄積された位置情報１４や要求情報１３と相違している場合には、データベース２１を更新する（ステップＳ１０３）。
【００５５】
次いで、情報提供者３０である観光協会は、データベース２１のユーザ情報に基づいて、提供情報３１を通知する対象となるユーザ１１を絞り込む（ステップＳ１０４）。
【００５６】
すなわち、情報提供者３０である観光協会は、検索する位置情報１４として自身のサービス提供エリアである観光エリアをキーワードとすると共に、検索するユーザ情報１２として観光情報をキーワードとしてキャリア２０にデータベース２１の検索を要求し（７）、検索結果の通知を受ける（８）。
【００５７】
次いで、情報提供者３０である観光協会は、メーリングリスト２２を取得する（ステップＳ１０５）。
【００５８】
すなわち、観光協会は、ステップＳ１０４において提供情報３１を提供できる条件を満たす対象となるユーザ１１を絞り込むと、キャリア２０に対して、メーリングリスト２２の発行を依頼し（９）、キャリア２０は、観光協会が絞り込んだユーザ１１に対応するユーザ情報１２内のメールアドレスに基づいてメーリングリスト２２を作成し（１０）、作成したメーリングリスト２２を観光協会に発行する（１１）。
【００５９】
次いで、情報提供者３０である観光協会は、そのメーリングリスト２２に基づいて、対象となるユーザ１１に提供情報３１として適切な観光情報をメールで提供する（ステップＳ１０６）。
【００６０】
すなわち、観光協会は、そのメーリングリスト２２に基づいて、キャリア２０に対してメールで提供情報３１を配信し（１２）、キャリア２０は、観光協会からの当該メールを中継し、対象となるユーザ１１に当該メールで提供情報３１を配信し（１３）、携帯端末１０が、自身の位置情報１４を含むユーザ情報１２に適合する提供情報３１の提供を受ける。
【００６１】
（本実施の形態の効果）
以上説明したように、本発明においては、以下に記載するような効果を奏する。
【００６２】
第１の効果は、ユーザ１１は、提供情報３１を通知されると、更に詳細な情報を取得しようとＷｅｂにアクセスするため、キャリア２０としては通信費の増加を期待できることである。
【００６３】
第２の効果は、キャリア２０がユーザ１１の最新の位置情報１４及び要求情報１３を常に管理しているので、ユーザ１１が、自身の最新の位置情報１４に適合する地域情報や、自身の最新の要求情報１３に適合する情報を提供情報３１として情報提供者３０から提供されると共に、自身でキーワードを入力して必要な情報の検索を行うという煩わしさから開放されることである。
【００６４】
第３の効果は、キャリア２０がユーザ１１の最新の位置情報１４及び要求情報１３を常に管理していることから、情報提供者３０が、提供情報３１を通知する対象となるユーザ１１をデータベース２１から効率的に検索できるため、経済的かつ効果的な宣伝及び情報提供が可能となる。
【００６５】
以上好ましい実施の形態をあげて本発明を説明したが、本発明は必ずしも、上記実施の形態に限定されるものでなく、その技術的思想の範囲内において様々に変形して実施することができる。
【００６６】
例えば、携帯端末１０は、本実施の形態において位置情報１４や要求情報１３等を、携帯端末１０内に登録してＷｅｂサーバの機能を用いて公開することによって、キャリア２０がＨＴＴＰ（HyperText  Transfer  Protocol）の技術を用いネットワーク４０を介して当該ユーザ情報１２等にアクセスすることを可能としているが、ユーザ情報１２が携帯端末１０に入力されると、入力されたユーザ情報１２をその都度、キャリア２０に通知してもよいし、または、携帯端末１０に入力されたユーザ情報１２が、携帯端末１０内に登録されているユーザ情報１２と異なる場合に、当該入力されたユーザ情報１２をキャリア２０に通知してもよい。
【００６７】
この場合、携帯端末１０とキャリア２０間におけるネットワークの通信負担が低減するため、特に、一つのキャリア２０で通信する携帯端末１０を多数有する場合には、ネットワークの通信負担の低減が顕著になる。
【００６８】
また、この場合、ユーザ情報１２が携帯端末１０に入力されることによって携帯端末１０がキャリア２０と通信するため、キャリア２０が所定のタイミングで携帯端末１０にアクセスするよりも、ユーザ情報１２の更新がリアルタイムで行われることから、携帯端末１０は、よりユーザ１１の要求に適合する提供情報３１の提供を受けることができる。
【図面の簡単な説明】
【００６９】
【図１】本発明の実施の形態によるプッシュ型サービス提供システムの構成例を説明する図である。
【図２】本発明の実施の形態によるプッシュ型サービス提供システムの携帯端末１０においてユーザ情報１２を入力するユーザ情報入力画面の一例を説明する図である。
【図３】本発明の実施の形態によるプッシュ型サービス提供システムのキャリア２０の情報収集方法に関しての構成を説明する図である。
【図４】本発明の実施の形態によるプッシュ型サービス提供システムのデータベース２１に関してのレコード構成を説明する図である。
【図５】本発明の実施の形態によるプッシュ型サービス提供システムのキャリア２０のハードウェア構成を示すブロック図である。
【図６】本発明の実施の形態による情報提供者３０による提供情報３１の通知の対象となるユーザ１１の検索方法を説明する図である。
【図７】本発明の実施の形態によるプッシュ型サービス提供システムのメーリングリスト発行方法を説明する図である。
【図８】本発明の実施の形態によるプッシュ型サービス提供システムの動作例を示すシーケンスチャートである。
【図９】本発明の実施の形態によるプッシュ型サービス提供システムの動作例を示すフローチャートである。
【符号の説明】
【００７０】
１０：携帯端末
１１：ユーザ
１２：ユーザ情報
１３：要求情報
１４：位置情報
１５：アプリケーション
２０：キャリア
２１：データベース
２２：メーリングリスト
３０：情報提供者
３１：提供情報
４０：ネットワーク
５０１：ＣＰＵ
５０２：主記憶部
５０３：通信制御部
５０４：提示部
５０５：入力部
５０６：インタフェース部
５０７：補助記憶部
５０８：システムバス
【図１】
2007249916.tif 000003
【図２】
2007249916.tif 000004
【図３】
2007249916.tif 000005
【図４】
2007249916.tif 000006
【図５】
2007249916.tif 000007
【図６】
2007249916.tif 000008
【図７】
2007249916.tif 000009
【図８】
2007249916.tif 000010
【図９】
2007249916.tif 000011